(57)【特許請求の範囲】
【請求項１】
カートリッジケース内に、インクリボンを繰り出す繰出しスプールと、当該繰出しスプールを回転自在に保持する中空の軸状突起と、繰出しスプールの回転を制動する制動機構とを備えたリボンカートリッジにおける制動装置において、
前記制動機構は、前記軸状突起の一部を軸方向に「Ｕ」字状に除去して形成したばね性を有する摺接片部と、前記軸状突起の中空部に挿入され、前記摺接片部の先端部を前記繰出しスプールの内周面に向かって付勢するばねとを有し、
前記摺接片部の先端部は、前記繰出しスプールの内周面と相補的形状の摺接面を備え、
前記ばねは線材で構成され、略「Ｕ」字状に折り曲げたばね本体を備え、
前記軸状突起の中空部の軸方向に直交する横断面形状は、前記軸状突起の一方の端部から挿入される前記ばねの平面視挿入姿勢に合わせて長方形に形成されていることを特徴とするリボンカートリッジにおける制動装置。
【請求項２】
前記摺接片部は、カートリッジの表裏一方の内面から前記繰出しスプールの軸方向のほぼ中間部まで延在していることを特徴とする請求項１に記載のリボンカートリッジにおける制動装置。
【請求項３】
前記軸状突起は、前記カートリッジケースと一体に成形されていることを特徴とする請求項１または２に記載のリボンカートリッジにおける制動装置。
【請求項４】
前記軸状突起の中空部には、これに挿入した前記ばねを抜止め状態に係止する係止突起が形成されていることを特徴とする請求項１、２または３に記載のリボンカートリッジにおける制動装置。
【請求項５】
請求項１ないし４のいずれかに記載のリボンカートリッジにおける制動装置を備えたことを特徴とするリボンカートリッジ。
【発明の詳細な説明】
【０００１】
【発明の属する技術分野】
本発明は、インクリボンにバックテンションを付与するリボンカートリッジにおける制動装置およびこれを備えたリボンカートリッジに関するものである。
【０００２】
【従来の技術】
従来、この種のリボンカートリッジとして、実用新案登録第２５６４７６３号に記載のものが知られている。このリボンカートリッジには、印字が為される透明テープと、透明テープの印字面に貼着される両面粘着テープとが収容されると共に、印字のためのインクリボンが、繰出しコアおよび巻取りコアに巻回した状態で収容されている。従動側の繰出しコアは、カートリッジケースの内面に突設したコア軸に回転自在に軸支され、且つコア軸の中空部に装着したトーションばねにより、インクリボンにバックテンションを与えるべく、その回転が制動されるようになっている。この場合、コア軸の一部には透孔が形成され、この透孔からトーションばねのリング部が突出して、繰出しコアを軸方向に付勢している。これにより、繰出しコアが回転すると、これに押し付けられたリング部が繰出しコアの内面に強く摺接し、繰出しコアが回転が制動される。
【０００３】
【発明が解決しようとする課題】
このような従来のリボンカートリッジでは、トーションばねのリング部が繰出しコアの内面に点接触で直接摺接しているため、繰出しコアの内周面の真円度や微妙凹凸などにより、制動力が大きく変動したり、トーションばねにひびり振動が発生するなどの問題があった。これにより、インクリボンに付与するバックテンションの変動が大きくなり、印字品質が悪化することになる。
【０００４】
本発明は、簡単な構造で、インクリボンに付与するバックテンションを安定化させることができるリボンカートリッジにおける制動装置およびこれを備えたリボンカートリッジを提供することをその目的としている。
【０００５】
【課題を解決するための手段】
本発明のリボンカートリッジの制動装置は、カートリッジケース内に、インクリボンを繰り出す繰出しスプールと、繰出しスプールを回転自在に保持する中空の軸状突起と、繰出しスプールの回転を制動する制動機構とを備えたリボンカートリッジにおける制動装置において、制動機構は、軸状突起の一部を軸方向に「Ｕ」字状に除去して形成したばね性を有する摺接片部と、軸状突起の中空部に挿入され、摺接片部の先端部を繰出しスプールの内周面に向かって付勢するばねとを有し、摺接片部の先端部は、繰出しスプールの内周面と相補的形状の摺接面を備え、ばねは線材で構成され、略「Ｕ」字状に折り曲げたばね本体を備え、軸状突起の中空部の軸方向に直交する横断面形状は、軸状突起の一方の端部から挿入されるばねの平面視挿入姿勢に合わせて長方形に形成されていることを特徴とする。
【０００６】
この構成によれば、回転を制動される繰出しスプールは、軸状突起の一部に形成した摺接片部を介して、ばねにより付勢されており、かつ摺接片部の先端部（摺接端）は、繰出しスプールの内周面と相補的形状の摺接面に形成されているため、制動のために加えられるばね力は、比較的広い面積で且つ繰出しスプールの内周面に均一に作用する。このため、繰出しスプールの内周面に微妙な凹凸などがあっても、ばね力が一部に集中することがなく、これに均一且つ安定にばね力を付与することができる。
また、ばねは線材で構成され、略「Ｕ」字状に折曲げたばね本体を備えている。したがって、安定したばね力を発揮するばねを、低コストで簡単に作成することができる。なお、この場合、ばね本体の一方の端部を円形に折曲げた付勢端となるリング部とを備えることが好ましい。
さらに、軸状突起の中空部の横断面形状は、ばねの挿入姿勢に合わせて長方形に形成されているため、挿入方向を間違えることなく、ばねを中空部に挿入することができ、且つ挿入した状態において、ばねの姿勢を安定させることができる。
【０００７】
この場合、摺接片部は、カートリッジの表裏一方の内面から繰出しスプールの軸方向のほぼ中間部まで延在していることが、好ましい。
【０００８】
この構成によれば、繰出しスプールの軸方向のほぼ中間部にばね力を作用させることができるため、繰出しスプールの回転ぶれなどを極力少なくすることができる。
【０００９】
これらの場合、軸状突起は、カートリッジケースと一体に成形されていることが、好ましい。
【００１０】
この構成によれば、軸状突起およびその摺接片部を簡単に形成することができる。
【００１１】
これらの場合、軸状突起の中空部には、これに挿入したばねを抜止め状態に係止する係止突起が形成されていることが、好ましい。
【００１２】
この構成によれば、中空部に挿入したばねが、カートリッジケースに加えられた衝撃などで、簡単に抜け落ちてしまうのを防止することができる。また、ばねを挿入したときに、ばねが係止突起を乗り越えてセットされることで、セット状態が確認でき、ばねの装着不良を防止することができる。
【００１７】
本発明のリボンカートリッジは、上記のいずれかに記載のリボンカートリッジにおける制動装置を備えたことを特徴とする。
【００１８】
この構成によれば、リボンカートリッジに安定したバックテンションを加えることができるため、インクリボンが原因となる印刷不良を極力少なくすることができる。
【００１９】
【発明の実施の形態】
以下、添付の図面に基づいて、本発明の一実施形態に係るリボンカートリッジにおける制動装置およびこれを備えたリボンカートリッジ（テープカートリッジ）が、適用されたテープ印刷装置について説明する。このテープ印刷装置は、テープカートリッジを介して装置内に装着した印刷テープに、所望の文字や図形などを印刷（印字）すると共に、印刷テープの印刷済み部分を所定の長さに切断するものである。より具体的には、印刷テープにはＭＤ（ミニディスク）専用の粘着ラベルが作り込まれており、テープ印刷装置はこの粘着ラベルの表面に所望の印刷を行うものである。そして、印刷後の粘着ラベルは、印刷テープから剥してＭＤ（カセット）の所定の位置に貼着される。
【００２０】
図１は開蓋状態のテープ印刷装置の外観斜視図であり、同図に示すように、テープ印刷装置１は、印刷装置本体２と、これに着脱自在に装着されるテープカートリッジ３から成り、印刷装置本体２は、上下２分割の装置ケース４により外殻が形成されている。装置ケース４の前部上面には、各種入力キー５ａから成るキーボード５が配設され、後部上面には、ディスプレイ６、開閉蓋７およびこれを開放する蓋開放ボタン８が配設されている。開閉蓋７の内側には、テープカートリッジ３を装着するためのカートリッジ装着部９が窪入形成されており、テープカートリッジ３はこの開閉蓋７を開放した状態でカートリッジ装着部９に対し着脱される。また、装置ケース４の左側部には、カートリッジ装着部９と装置外部とを連通するテープ排出口１０が形成され、テープ排出口１０には、送り出した印刷テープ１００を切断するテープカッタ（図示省略）が臨んでいる。さらに、装置ケース４の左後部には、このテープカッタを切断動作させるカッタボタン１１が配設されている。
【００２１】
一方、カートリッジ装着部９には、ヘッドカバー１３に覆われた印刷ヘッド１４と、印刷ヘッド１４に対峙するプラテン１５と、巻取りリール駆動軸１６と、テープカートリッジ３の装着を案内するガイド突起１７が立設されている。また、カートリッジ装着部９の下側には、プラテン１５および巻取りリール駆動軸１６を回転させるテープ送り機構（図示省略）が内蔵されている。なお、図中の符号１８はヘッド操作板であり、開閉蓋７を閉塞すると、このヘッド操作板１８により、印刷ヘッド１４がプラテン１５を押圧する印刷位置に回動して、印刷が可能になる。
【００２２】
ユーザーは、カートリッジ装着部９にテープカートリッジ３を装着した後、キーボード５により所望の文字などの印刷情報を入力し、同時にディスプレイ６により入力結果を確認すると共に編集を行う。次に、キーボード５を介して印刷を指示すると、テープ送り機構が駆動して、テープカートリッジ３から印刷テープ１００を繰り出すと同時に、印刷ヘッド１４が駆動して、印刷テープ１００の粘着ラベル１１０の部分に所望の印刷を行う。或いは、図外のミニディスクプレーヤをこの印刷装置本体２に接続し、ＭＤに記憶されているインデェックスデータなど読み出してこれを編集し、印刷テープ１００の粘着ラベル１１０の部分に印刷する。
【００２３】
そして、印刷テープ１００の印刷済み部分は、印刷動作に並行してテープ排出口１０から連続的に外部に送り出されてゆく。このようにして、所望の印刷が完了すると、テープ送り機構はその送り動作を停止する。ここで、ユーザーが、装置ケース４の左後部に配設されたカッターボタン１１を押すことで、テープカッタが作動し粘着ラベル付きの印刷テープ１００が所望の長さに切断される。
【００２４】
図２および図３に示すように、テープカートリッジ３は、上ケース３１ａと下ケース３１ｂとから成るカートリッジケース３１により、その外殻が形成されている。上ケース３１ａと下ケース３１ｂとは、相互にスナップイン形式で係合しており（図４および図５参照）、係合した状態で、テープカートリッジ３の種別などを記載した粘着シール３２により分離不能に接合されている（図２参照）。粘着シール３２は、剥離可能に構成され、これを剥して上ケース３１ａを外すことで、使用済みの印刷テープ１００などを交換できるようになっている。
【００２５】
カートリッジケース３１の内部には、テープコア１２０にロール状に巻回した印刷テープ１００と、一端側を繰出しコア２１０に巻回し他端側を巻取りコア２２０に巻回したインクリボン２００とが収容されている。印刷テープ１００は、テープコア１２０から繰り出される一方、インクリボン２００は、繰出しコア２１０から繰り出され、印刷テープ１００と重なって併走した後、巻取りコア２２０に巻き取られる。
【００２６】
また、印刷テープ１００とインクリボン２００とが重なる部分には、印刷ヘッド１４およびプラテン１５が臨む開口部３４が形成されている（図１０参照）。テープカートリッジ３をカートリッジ装着部９に装着すると、この開口部３４に、印刷テープ１００およびインクリボン２００を挟むように印刷ヘッド１４およびプラテン１５が挿入される。同時に、巻取りコア２２０の中空部分には巻取りリール駆動軸１６が挿入される。そして、プラテン１５と巻取りリール駆動軸１６とが同期して回転すると、印刷テープ１００とインクリボン２００とが同時に送られ、且つ印刷ヘッド１４が駆動することで、印刷が行われる。印刷テープ１００の印刷完了部分は、カートリッジケース３１に形成したテープ送出口３５から装置ケース４のテープ排出口１０に向かって送り出されてゆく。
【００２７】
印刷テープ１００は、粘着材付きの印刷テープ本体１０１に剥離テープ（基材テープ）１０２を貼り合わせて成り、印刷テープ本体１０１には、それぞれ方形に切り線を入れることで多数の粘着ラベル１１０が横並び作り込まれている。すなわち、粘着ラベル１１０は、いわゆる剥離紙付きのテープをハーフカットして形成されている。粘着ラベル１１０が作り込まれている部分以外の部分、すなわち左右の縦非ラベル部１１１は、印刷テープ１００が切断される部分となり、上下の横非ラベル部（ラベル非貼着部）１１２は、印刷テープ１００の走行（繰出し）が案内される部分となる。
【００２８】
また、ロール状に巻回した印刷テープ１００の両端面には、表裏一対のフィルム１３０，１３０が貼着されている。フィルム１３０は、印刷テープ１００の繰り出しに影響を及ぼさない程度の粘着力で印刷テープ１００の両端面に貼着されると共に、印刷テープ１００のばらけを防止している。なお、実施形態の粘着ラベル１１０は、ＭＤのカセットやカセットケースの表裏面に貼着するためのもの（大きさ）であるが、この印刷テープ１００とは別に、ＭＤのカセットの側面に貼着するための、細長の粘着ラベルを作り込んだ印刷テープも、テープカートリッジに搭載して用意されている。
【００２９】
図３、図４および図５に示すように、カートリッジケース３１内のほぼ半部には、印刷テープ１００の繰出し口となる部分を除いて円形に形成されたテープ収容部４１と、テープ収容部４１に連なるテープ繰出し部４２とが設けられている。テープ収容部４１は、上ケース３１ａの内面に突出形成した上テープ収容壁４４ａと、下ケース３１ｂの内面に突出形成した下テープ収容壁ｂとで構成され、また同様にテープ繰出し部４２は、上テープ収容壁４４ａに連なる上テープ繰出し壁４５ａと、下テープ収容壁４４ｂに連なる下テープ繰出し壁４５ｂとで構成されている。上下両テープ繰出し壁４５ａ，４５ｂは、上下両テープ収容壁４４ａ，４４ｂの端部との間で印刷テープ１００の繰出し口を構成すると共に、テープ送出口３５に向かって渦曲線状に湾曲して開口部３４の近傍まで延びている。
【００３０】
上テープ収容壁４４ａは、略円形の周壁部（副ガイド壁部）４６と、周壁部４６の内面に等間隔で形成した複数の突状部４７とを有しており、この突状部４７が、収容した印刷テープ１００の上側の横非ラベル部１１２に摺接するようになっている。同様に、下テープ収容壁４４ｂは、略円形の周壁部４６と、周壁部４６の内面に等間隔で形成した複数の突状部４７とを有すると共に、上記の開口部３４を構成する開口壁３６に背合わせとなる周壁部４６の部位を立上げ形成した立上げ壁４８と、立上げ壁４８の外側に突設した突設壁４９とを有している。この場合も、突状部４７が、収容した印刷テープ１００の下側の横非ラベル部１１２に摺接する。
【００３１】
上テープ繰出し壁４５ａは、上テープ収容壁４４ａの周壁部４６に連なる湾曲部５１と、湾曲部５１の内側に形成したガイド壁部（主ガイド壁部）５２とを有し、ガイド壁部５２の先端は湾曲部５１より先方に延びている。ガイド壁部５２は、複数の突状部４７の延長上に配設されており、突状部４７と同様に印刷テープ１００の上側の横非ラベル部１１２に摺接するようになっている。下テープ収容壁４５ｂは、下テープ収容壁４４ｂの周壁部４６に連なると共に立上げ壁４８と同一高さに形成した隔壁部（支持壁部）５３と、隔壁部５３の内側に形成したガイド壁部５２とを有している。この場合も、ガイド壁部５２は、その先端が隔壁部５３より先方に延びており、印刷テープ１００の下側の横非ラベル部１１２に摺接するようになっている。
【００３２】
また、隔壁部５３は、印刷テープ１００側とインクリボン２００側とを区画しており、インクリボン２００がたるんだときに、印刷テープ１００にインクリボン２００が接触しないように、両者の間を仕切っている。これにより、粘着ラベル１１０の縁からはみ出した粘着材に、インクリボン２００が張り付いてジャミングが発生するのを、防止している。
【００３３】
一方、上テープ収容壁４４ａの内側中心部分に位置して上ケース３１ａには、円筒突起５５と十字状のリブ５６が形成されている。同様に、下テープ収容壁４４ｂの内側中心部分に位置して下ケース３１ｂには、円筒突起５６と十字状のリブ５６が形成されている。この上下の円筒突起５５，５５は、その外周面に印刷テープ１００のテープコア１２０が回転自在に軸支される部位であり、且つその内周面は、テープカートリッジ３をカートリッジ装着部９に装着するときに、上記のガイド突起１７に嵌合する部位となる。
【００３４】
このように構成されたテープ収容部４１に印刷テープ１００をセットすると、図３および図６に示すように、印刷テープ１００の上側の横非ラベル部１１２に、上テープ収容壁４４ａの複数の突状部４７および上テープ繰出し壁４５ａのガイド壁部５２が対峙し、下側の横非ラベル部１１２に、下テープ収容壁４４ｂの複数の突状部４７および下テープ繰出し壁４５ｂのガイド壁部５２が対峙する。このため、印刷テープ１００が繰り出されてゆくと、印刷テープ１００は、その両横非ラベル部１１２，１１２が両ガイド壁部５２，５２に案内され、これに摺接しながら送り出されてゆく。また、印刷テープ１００がばらけた場合には、複数の突状部４７も案内部材として機能し、印刷テープ１００はその両横非ラベル部１１２，１１２でこれに摺接しながら送り出されてゆく。
【００３５】
したがって、繰り出されてゆく印刷テープ１００の粘着ラベル１１０は、これら案内部材に一切接触することがなく、たとえ粘着材がはみ出すなどして剥がれ易い状態にあっても、印刷に供される前に粘着ラベル１１０が剥がれることがない。なお、上記の各突状部４７はその先端が傾斜しており、印刷テープ１００のテープ収容部４１への投入を案内できるようになっている。
【００３６】
一方、下テープ収容壁４４ｂの立上げ壁（周壁部４６）４８および突設壁４９と、上下両テープ繰出し壁４５ａ，４５ｂの両ガイド壁部（隔壁部５３）５２，５２とで構成される楔状空間６０には、印刷テープ１００の逆走を阻止するストップローラ６１が遊嵌状態で収容されている。すなわち、立上げ壁（周壁部４６）４８および突設壁４９と両ガイド壁部（隔壁部５３）５２，５２とで、立上げ壁４８と両ガイド壁部５２，５２とが鋭角を為す楔状壁部が構成され、且つ楔状壁部とストップローラ６１とで印刷テープ１００の逆走阻止機構が構成されている。
【００３７】
ストップローラ６１は円柱状のゴムなどで構成され、図７に示すように、上ケース３１ａと下ケース３１ｂとの間の寸法とほぼ同寸法に形成されている。また、ストップローラ６１は、柔軟性を有し、自由状態でわずかに撓んでいる。このため、楔状空間６０に収容したストップローラ６１は、その長手方向のいずれかの部位が印刷テープ１００に常に接触している。したがって、印刷テープ１００が正逆走行すると、その摺動抵抗を受けて楔状空間６０内を移動する。
【００３８】
すなわち、印刷テープ１００が繰り出されてゆくと、ストップローラ６１は、印刷テープ１００に接触して転動しながら突設壁４９側に移動し、印刷テープ１００の走行を許容する。一方、印刷テープ１００が繰出し方向と逆方向に逆走すると、ストップローラ６１は、印刷テープ１００に接触して転動しながら立上げ壁４８と両ガイド壁部５２，５２との狭まった部分に向かって移動する。この移動によりストップローラ６１は、立上げ壁４８と両ガイド壁部５２，５２との間に挟まれ、立上げ壁４８から反力を受けながら、両ガイド壁部５２，５２との間に印刷テープ１００を強く挟持し、印刷テープ１００の逆走を阻止する。
【００３９】
このように、印刷テープ１００の逆走を阻止することができるため、何らかの衝撃で印刷テープ１００の繰出し端がカートリッジケース３１内に引き込まれそうになっても、この引込みを防止することができる。またこのとき、ストップローラ６１により両ガイド壁部５２，５２に押圧挟持される部分は、印刷テープ１００の両横非ラベル部１１２，１１２であり、この逆走阻止動作においても、粘着ラベル１１０が剥がれることはない。
【００４０】
テープ送出口３５は、図８に示すように、上ケース３１ａと下ケース３１ｂとに跨って、全体としてスリット状に形成されており、上下両端部に位置する幅狭部６３，６３、両幅狭部６３，６３間に位置する幅広部６４とで構成されている。両幅狭部６３，６３は、ここを通過する印刷テープ１００の両横非ラベル部１１２，１１２の位置に対応し、また幅広部６４は粘着ラベル１１０の位置に対応している。印刷テープ１００がテープ送出口３５を通過する時には、両横非ラベル部１１２，１１２が両幅狭部６３，６３に案内されるようにこれに摺接する一方、粘着ラベル１１０は、テープ送出口３５の縁に一切接触することなくここを通過する。したがって、テープ送出口３５の部分においても、粘着ラベル１１０が剥がれることがない。
【００４１】
一方、インクリボン２００は、図３に示すように、繰出しコア（繰出しスプール）２１０から繰り出され、上記の逆走阻止機構の近傍で印刷テープ１００と重なり、そのまま開口部３４を横切り、更に開口壁３６に沿って走行して巻取りコア２２０に巻取られる。この場合、従動側となる繰出しコア２１０は、後述する制動機構により、インクリボン２００がたるまないように制動されている。また、駆動側となる巻取りコア２２０は、テープカートリッジ３が印刷装置本体２に装着していない状態で、インクリボン２００がたるまないように、後述する逆転阻止機構により、その自由回転を阻止されている。
【００４２】
図３、図４、図５および図９に示すように、繰出しコア２１０は、上ケース３１ａの内面に突出形成した円筒状の上軸状突起７１と、下ケース３１ｂの内面に突出形成され、上軸状突起７１と同軸上に配設した円筒状の下軸状突起７２とに、回転可能に軸支されている。上軸状突起７１は短く形成され、下軸状突起７２は、繰出しコア２１０のほぼ下半部が係合するように長く形成されている（図９参照）。下軸状突起７２には、その一部を逆「Ｕ」字状に除去して、ばね性を有する摺接片部７３が形成されている。また、下軸状突起７２の中空部７４には、摺接片部７３を内側から付勢する制動ばね７５が挿入されている。すなわち、この摺接片部７３と制動ばね７５とにより、繰出しコア２１０の内周面を径方向に押圧して、繰出しコア２１０の回転を制動する制動機構が構成されている。
【００４３】
制動ばね７５は、線材（例えばピアノ線）を折曲げて形成されており、略「Ｕ」字状に折曲げたばね本体７５ａと、ばね本体の一方の端部を円形に折曲げたリング部７５ｂとで構成されている。制動ばね７５は、下方から中空部７４に挿入されており、リング部７５ｂが摺接片部７３に当接してこれを押圧すると共に、他方の端部が下軸状突起７２の上端部内面に当接している。なお、下軸状突起７２の中空部７４は、制動ばね７５が適切な姿勢で挿入されるように、その横断面が摺接片部７３の内面を短辺とする長方形に形成されている（図３参照）。
【００４４】
摺接片部７３は、ばね性を有する本体７３ａと、繰出しコア２１０の内周面に接触する付勢端部７３ｂとから成り、付勢端部７３ｂの外面には、繰出しコア２１０の内周面と相補的形状を為す摺接面７３ｃが形成されている。すなわち、摺接片部７３は、繰出しコア２１０の内周面と比較的広い面積で摺接し、繰出しコア２１０に安定した制動力を付与できるようになっている。また、付勢端部７３ｂの内面には第１係止突起７３ｄが形成される一方、第１係止突起７３ｄに対応して下軸状突起７２の上端部内面には第２係止突起７２ａが形成されている。中空部７４に制動ばね７５を挿入してゆくと、リング部７５ｂが第１係止突起７３ｄを乗り越え、続いて他方の端部が第２係止突起７２ａに当接して、制動ばね７５が下軸状突起７２に適切にセットされる。また、セットされた制動ばね７５に対し、第１係止突起７３ｄは下方への抜止めとして作用し、第２係止突起７２ａは上方への抜止めとして作用する。
【００４５】
このような構成では、制動ばね７５により摺接片部７３の付勢端部７３ｂが繰出しコア２１０の内周面を押圧し、繰出しコア２１０が回転すると、付勢端部７３ｂの摺接面７３ｃが繰出しコア２１０の内周面に摺接する。したがって、繰出しコア２１０の内周面に凹凸などがあっても、これを吸収し安定したばね力を付与することができる。したがって、制動力（摺動摩擦）も安定し、インクリボン２００に変動の少ないバックテンションを付与することができる。
【００４６】
巻取りコア２２０は、上ケース３１ａに形成した円形の上軸孔８１と、下ケース３１ｂに形成され、上軸孔８１と同軸上に配設した円形の下軸孔（図示省略）とに、回転可能に軸支されている。巻取りコア２２０の内周面には、周方向に複数の突条２２１が形成されており、テープカートリッジ３を印刷装置本体２に装着すると、この複数の突条２２１に巻取りリール駆動軸１６が噛み合って、巻取りコア２２０が回転駆動可能となる（図１０参照）。また、巻取りコア２２０の下端部には、図示しないが爪車状のロック受け部が形成されている。そして、ロック受け部に、下ケース３１ｂに装着したロック爪部材９１が係脱するようになっている。すなわち、このロック受け部とロック爪部材９１により、巻取りコア２２０の逆転を阻止する逆転阻止機構が構成されている。
【００４７】
ロック爪部材９１は、下ケース３１ｂに立設したピン状突起９２に回動自在に装着された部材本体９３と、部材本体９３から巻取りコア２２０側に延びる爪部９４と、部材本体９３から「Ｖ」字状に延びるばね片部９５および解除片部９６とで、一体に形成されている。テープカートリッジ３を印刷装置本体２に装着していない状態では、図３に示すように、ばね片部９５の付勢作用で、爪部９４がピン状突起９２を中心に巻取りコア２２０側に回動付勢され、爪部９４の先端が巻取りコア２２０のロック受け部に係止している。これにより、巻取りコア２２０の正転は許容される（爪車状ゆえ）が、逆転は阻止される。
【００４８】
一方、テープカートリッジ３を印刷装置本体２に装着した状態では、図１０に示すように、印刷装置本体２のカートリッジ装着部９に形成したカム突起９ａに解除片部９６が係合し、ばね片部９５に抗して爪部９４を逆方向に回動させて、巻取りコア２２０のロック受け部から離脱させる。これにより、巻取りコア２２０のロック爪部材９１による係止状態が解除される。またこのとき、巻取りコア２２０と巻取りリール駆動軸１６が噛み合い、巻取りコア２２０がロック爪部材９１に対し無抵抗で回転可能となる。
【００４９】
【発明の効果】
以上のように本発明のリボンカートリッジにおける制動装置およびリボンカートリッジによれば、摺接片部の摺接面が、繰出しスプールの内周面と相補的形状に形成されているので、繰出しスプールの内周面に、ばね力が一部に集中することがなく、これに均一且つ安定にばね力を付与することができる。したがって、簡単な構造で、インクリボンに付与するバックテンションを安定化させることができる。
【図面の簡単な説明】
【図１】本発明の一実施形態に係るテープ印刷装置のテープカートリッジを取り去った状態の斜視図である。
【図２】テープカートリッジの外観斜視図である。
【図３】上ケースを外した状態のテープカートリッジの平面図である。
【図４】テープカートリッジの下ケースの分解斜視図である。
【図５】テープカートリッジの上ケースの分解斜視図である。
【図６】テープカートリッジの印刷テープ廻りの縦断面図である。
【図７】テープカートリッジの逆送阻止機構廻りの縦断面図である。
【図８】テープカートリッジのテープ送出口廻りの正面図である。
【図９】テープカートリッジの繰出しコア廻りの縦断面図である。
【図１０】テープ印刷装置に装着したテープカートリッジの平面図である。
【符号の説明】
１  テープ印刷装置
２  印刷装置本体
３  テープカートリッジ
９  カートリッジ装着部
３１  カートリッジケース
７２  下軸状突起
７３  摺接片部
７３ｂ  付勢端部
７３ｃ  摺接面
７３ｄ  第１係止突起
７４  中空部
７５  制動ばね
７５ａ  ばね本体
７５ｂ  リング部
２００  インクリボン
２１０  繰出しコア
【図１】
0003603608.tif 000002
【図２】
0003603608.tif 000003
【図３】
0003603608.tif 000004
【図４】
0003603608.tif 000005
【図５】
0003603608.tif 000006
【図６】
0003603608.tif 000007
【図７】
0003603608.tif 000008
【図８】
0003603608.tif 000009
【図９】
0003603608.tif 000010
【図１０】
0003603608.tif 000011